(57)【要約】      （修正有）【課題】タッチパネルの感度を向上でき、またはタッチ電極の線路設計に役立つタッチパネルを提供する。【解決手段】中央タッチ領域Ｃ及びこの中央タッチ領域Ｃの一側に位置する周辺タッチ領域Ｐを有する第１表面を含む第１基板と、この中央タッチ領域Ｃに設置され、第１方向Ｘに沿って配列される複数の第１検出電極１１１と、この周辺タッチ領域Ｐに設置され、この第１方向Ｘと交差する第２方向Ｙに沿って配列される複数の周辺ダミー電極列とを含み、これらの周辺ダミー電極列は、第１周辺ダミー電極列１５１、１５１’及び第２周辺ダミー電極列１５２を含み、この第１周辺ダミー電極列１５１、１５１’のこの第２方向Ｙにおける長さＤ１、Ｄ１’は、この第２周辺ダミー電極列１５２のこの第２方向Ｙにおける長さＤ２より小さい。【選択図】図３Ａ
0003198958.tif 000002
【実用新案登録請求の範囲】
【請求項１】
タッチパネルであって、
中央タッチ領域及び前記中央タッチ領域の一側に位置する周辺タッチ領域を有する第１表面を含む第１基板と、
前記中央タッチ領域に設置され、第１方向に沿って配列される複数の第１検出電極と、
前記周辺タッチ領域に設置され、前記第１方向と交差する第２方向に沿って配列される複数の周辺ダミー電極列と、
を含み、
これらの周辺ダミー電極列は第１周辺ダミー電極列及び第２周辺ダミー電極列を含み、
前記第１周辺ダミー電極列の前記第２方向における長さは、前記第２周辺ダミー電極列の前記第２方向における長さより短いタッチパネル。
【請求項２】
これらの第１検出電極に電気的に接続され、前記第１方向に沿って延伸する前記第１基板のエッジに近接する端子部を更に含み、
前記第１周辺ダミー電極列は、前記エッジと前記第２周辺ダミー電極列との間に位置する請求項１に記載のタッチパネル。
【請求項３】
前記第１周辺ダミー電極列は、前記第１方向に沿って配列される複数の第１周辺ダミー電極を含み、前記第２周辺ダミー電極列は、前記第１方向に沿って配列される複数の第２周辺ダミー電極を含む請求項１に記載のタッチパネル。
【請求項４】
前記中央タッチ領域には、前記第１方向に沿って配列される複数の第１中央ダミー電極を含む第１中央ダミー電極列を更に含み、
前記第１周辺ダミー電極列に含まれる前記第１周辺ダミー電極の数は、前記第１中央ダミー電極列に含まれる前記第１中央ダミー電極の数より小さい請求項３に記載のタッチパネル。
【請求項５】
これらの第１検出電極のうちの１つは、前記第２方向に沿って延伸する複数のスリットを更に含む請求項３に記載のタッチパネル。
【請求項６】
２つの隣接するスリットの間の距離は、前記第１周辺ダミー電極の幅または前記第２周辺ダミー電極の幅と実質的に同じである請求項５に記載のタッチパネル。
【請求項７】
これらの第１検出電極、これらの第１周辺ダミー電極及びこれらの第２周辺ダミー電極はそれぞれジグザグ形の縁を有する請求項３に記載のタッチパネル。
【請求項８】
前記第１基板における第１表面に対向する第２表面に設置される複数のサブピクセルを更に含み、
前記第１周辺ダミー電極列または前記第２周辺ダミー電極列の前記第２方向における長さは、偶数倍数量のサブピクセルの前記第２方向における長さに実質的に等しいある請求項１に記載のタッチパネル。
【請求項９】
前記第１周辺ダミー電極列の一部領域は、これらのサブピクセルと重畳しない請求項８に記載のタッチパネル。
【請求項１０】
２つの隣接する第１周辺ダミー電極は、それぞれ前記第１方向において第１幅及び第２幅を有し、前記第１幅は前記第２幅より大きい請求項３に記載のタッチパネル。
【請求項１１】
前記第１基板に対向して設置される第２基板と、
前記第２基板に設置され、前記第２方向に沿って配列される複数の第２検出電極とを更に含む請求項１に記載のタッチパネル。
【請求項１２】
タッチパネルであって、
中央タッチ領域及び前記中央タッチ領域の一側に位置する周辺タッチ領域を有する第１表面を含む第１基板と、
前記中央タッチ領域に設置され、第１方向に沿って配列される複数の第１検出電極と、
２つの隣接する第１検出電極を電気的に接続させる連結部と、
２つの隣接する第１検出電極の間に位置し、前記第１方向と交差する第２方向に沿って配列される複数の中央ダミー電極列と、
を含み、
これらの中央ダミー電極列は、第１中央ダミー電極列及び第２中央ダミー電極列を含み、かつ前記第１中央ダミー電極列が前記連結部と前記第２中央ダミー電極列との間に位置し、
前記第１中央ダミー電極列の前記第２方向における長さは、前記第２中央ダミー電極列の前記第２方向における長さより短いタッチパネル。
【請求項１３】
前記第１中央ダミー電極列は、前記第１方向に沿って配列される複数の第１中央ダミー電極を含み、前記第２中央ダミー電極列は、前記第１方向に沿って配列される複数の第２中央ダミー電極を含む請求項１２に記載のタッチパネル。
【請求項１４】
前記周辺タッチ領域は第１周辺ダミー電極列を更に含み、前記第１周辺ダミー電極列は、前記第１方向に沿って配列される複数の第１周辺ダミー電極を含み、
前記第１周辺ダミー電極列に含まれる前記第１周辺ダミー電極の数は、前記第１中央ダミー電極列に含まれる前記第１中央ダミー電極の数より小さい請求項１３に記載のタッチパネル。
【請求項１５】
各これらの第１検出電極は、前記第２方向に沿って延伸する複数のスリットを更に含む請求項１３に記載のタッチパネル。
【請求項１６】
２つの隣接するスリットの間の距離は、前記第１中央ダミー電極の幅または前記第２中央ダミー電極の幅に実質的に等しい請求項１５に記載のタッチパネル。
【請求項１７】
これらの第１検出電極、これらの第１中央ダミー電極、及びこれらの第２中央ダミー電極は、それぞれジグザグ形の縁を有する請求項１３に記載のタッチパネル。
【請求項１８】
前記第１基板における前記第１表面に対向する第２表面に設置される複数のサブピクセルを更に含み、
前記第１中央ダミー電極列または前記第２中央ダミー電極列の前記第２方向における長さは、偶数倍数量のサブピクセルの前記第２方向における長さに実質的に等しい請求項１２に記載のタッチパネル。
【請求項１９】
前記第１中央ダミー電極列の一部領域は、これらのサブピクセルと重畳しない請求項１８に記載のタッチパネル。
【請求項２０】
２つの隣接する第１中央ダミー電極はそれぞれ前記第１方向において第１幅及び第２幅を有し、前記第１幅が前記第２幅より大きい請求項１３に記載のタッチパネル。
【請求項２１】
前記第１基板に対向して設置される第２基板と、
前記第２基板に設置され、前記第２方向に沿って配列される複数の第２検出電極と、
を更に含む請求項１２に記載のタッチパネル。
【考案の詳細な説明】
【技術分野】
【０００１】
本考案はタッチパネルに関し、特に、タッチパネルの感度を向上でき、またはタッチ電極線路の設計に役立つタッチパネルに関する。
【背景技術】
【０００２】
近年、操作人間化、簡素化の発展傾向に伴って、タッチパネルを有するタッチ表示装置はますます幅広く応用される。ユーザが手あるいは他の物でタッチパネルに直接接触する方式で信号を入力することによって、ユーザが他の入力装置（例えば、キーボード、マウス、リモコン等）に対する依頼を低減させひいては削除し、ユーザ操作の便利性を大いに向上させる。
【０００３】
上記タッチディスプレイパネルの例において、タッチパネル回路をディスプレイパネルガラス基板に整合することによって、装置構成層数を低減させ、さらに薄型化および軽量化の目的を達成する技術がある。しかしながら、ガラス基板上に形成される線路は、一般的に、透明導電性材料、例えばインジウムスズ酸化物（ＩＴＯ）またはインジウム亜鉛酸化物（ＩＺＯ）を採用し、インジウムスズ酸化物またはインジウム亜鉛酸化物と透明基板とは屈折率が異なるため、両者の屈折率の差異によって、人の目でガラス基板上の導線領域と無導線領域を簡単に判別でき、これによって、透明外観全体に影響を及ぼす。
【０００４】
上述した問題を鑑みて、ダミー電極を設置して透明線路の可視性を低減させるタッチ表示装置がある。しかしながら、ダミー電極の設置によってタッチ感度を低下させる可能性がある。これを鑑みて、現在、線路の可視性を低減させるとともに、タッチ感度を向上させるタッチパネルが強く求められている。
【考案の概要】
【０００５】
本考案の主な目的は、ダミー電極列を異なる幅または異なる数を有するダミー電極に設計することによって、タッチパネルの感度を向上でき、またはタッチ電極の線路設計に役立つタッチパネルを提供することにある。
【０００６】
上記目的を達成するために、本考案の第１実施形態は、タッチパネルであって、中央タッチ領域及びこの中央タッチ領域の一側に位置する周辺タッチ領域を有する第１表面を含む第１基板と、この中央タッチ領域に設置され、第１方向に沿って配列される複数の第１検出電極と、この周辺タッチ領域に設置され、この第１方向と交差する第２方向に沿って配列される複数の周辺ダミー電極列とを含み、これらの周辺ダミー電極列は第１周辺ダミー電極列及び第２周辺ダミー電極列を含み、この第１周辺ダミー電極列のこの第２方向における長さは、この第２周辺ダミー電極列のこの第２方向における長さより小さいタッチパネルを提供する。
【０００７】
本考案の第１実施形態に係るタッチパネルは、これらの第１検出電極に電気的に接続され、この第１方向に沿って延伸するこの第１基板のエッジに近接する端子部を更に含み、この第１周辺ダミー電極列はこのエッジとこの第２周辺ダミー電極列との間に位置する。
【０００８】
本考案の第１実施形態に係るタッチパネルでは、この第１周辺ダミー電極列はこの第１方向に沿って配列される複数の第１周辺ダミー電極を含むが、この第２周辺ダミー電極列はこの第１方向に沿って配列される複数の第２周辺ダミー電極を含む。
【０００９】
本考案の第１実施形態に係るタッチパネルでは、この中央タッチ領域には、この第１方向に沿って配列される複数の第１中央ダミー電極を含む第１中央ダミー電極列を更に含み、この第１周辺ダミー電極列に含まれるこの第１周辺ダミー電極の数は、この第１中央ダミー電極列に含まれるこの第１中央ダミー電極の数より小さい。
【００１０】
本考案の第１実施形態に係るタッチパネルでは、これらの第１検出電極のうちの１つはさらに、この第２方向に沿って延伸する複数のスリットを含む。
【００１１】
本考案の第１実施形態に係るタッチパネルでは、２つの隣接するスリットの間の距離は、この第１周辺ダミー電極の幅またはこの第２周辺ダミー電極の幅と実質的に同じである。
【００１２】
本考案の第１実施形態に係るタッチパネルでは、これらの第１検出電極、これらの第１周辺ダミー電極及びこれらの第２周辺ダミー電極はそれぞれジグザグ形の縁を有する。
【００１３】
本考案の第１実施形態に係るタッチパネルは、この第１基板における第１表面に反対する第２表面に設置される複数のサブピクセルを更に含み、この第１周辺ダミー電極列またはこの第２周辺ダミー電極列のこの第２方向における長さは、偶数倍数量のサブピクセルのこの第２方向における長さに実質的に等しい。
【００１４】
本考案の第１実施形態に係るタッチパネルでは、この第１周辺ダミー電極列の一部領域にはこれらのサブピクセルと重畳しない。
【００１５】
本考案の第１実施形態に係るタッチパネルでは、２つの隣接する第１周辺ダミー電極はそれぞれこの第１方向において第１幅及び第２幅を有し、この第１幅はこの第２幅より大きい。
【００１６】
本考案の第１実施形態に係るタッチパネルは、この第１基板に対向して設置される第２基板と、この第２基板に設置され、この第２方向に沿って配列される複数の第２検出電極とを更に含む。
【００１７】
また、本考案の第２実施形態は、タッチパネルであって、中央タッチ領域及びこの中央タッチ領域の一側に位置する周辺タッチ領域を有する第１表面を含む第１基板と、この中央タッチ領域に設置され、第１方向に沿って配列される複数の第１検出電極と、２つの隣接する第１検出電極を電気的に接続させる連結部と、２つの隣接する第１検出電極の間に位置し、この第１方向と交差する第２方向に沿って配列される複数の中央ダミー電極列と、を含み、これらの中央ダミー電極列は第１中央ダミー電極列及び第２中央ダミー電極列を含み、かつこの第１中央ダミー電極列がこの連結部とこの第２中央ダミー電極列との間に位置し、この第１中央ダミー電極列のこの第２方向における長さは、この第２中央ダミー電極列のこの第２方向における長さより小さいタッチパネルを更に提供する。
【００１８】
本考案の第２実施形態に係るタッチパネルでは、この第１中央ダミー電極列はこの第１方向に沿って配列される複数の第１中央ダミー電極を含むが、この第２中央ダミー電極列はこの第１方向に沿って配列される複数の第２中央ダミー電極を含む。
【００１９】
本考案の第２実施形態に係るタッチパネルでは、この周辺タッチ領域には第１周辺ダミー電極列を更に含み、この第１周辺ダミー電極列はこの第１方向に沿って配列される複数の第１周辺ダミー電極を含み、この第１周辺ダミー電極列に含まれるこの第１周辺ダミー電極の数は、この第１中央ダミー電極列に含まれるこの第１中央ダミー電極の数より小さい。
【００２０】
本考案の第２実施形態に係るタッチパネルでは、各これらの第１検出電極は更に、この第２方向に沿って延伸する複数のスリットを含む。
【００２１】
本考案の第２実施形態に係るタッチパネルでは、２つの隣接するスリットの間の距離は、この第１中央ダミー電極の幅またはこの第２中央ダミー電極の幅に実質的に等しい。
【００２２】
本考案の第２実施形態に係るタッチパネルでは、これらの第１検出電極、これらの第１中央ダミー電極及びこれらの第２中央ダミー電極はそれぞれジグザグ形の縁を有する。
【００２３】
本考案の第２実施形態に係るタッチパネルは、この第１基板におけるこの第１表面に対向する第２表面に設置される複数のサブピクセルを更に含み、この第１中央ダミー電極列またはこの第２中央ダミー電極列のこの第２方向における長さは、偶数倍数量のサブピクセルのこの第２方向における長さに実質的に等しい。
【００２４】
本考案の第２実施形態に係るタッチパネルでは、この第１中央ダミー電極列の一部領域はこれらのサブピクセルと重畳しない。
【００２５】
本考案の第２実施形態に係るタッチパネルでは、２つの隣接する第１中央ダミー電極はそれぞれこの第１方向において第１幅及び第２幅を有し、この第１幅がこの第２幅より大きい。
【００２６】
本考案の第２実施形態に係るタッチパネルは、この第１基板に対向して設置される第２基板と、この第２基板に設置され、この第２方向に沿って配列される複数の第２検出電極と、を更に含む。本考案が提供するタッチパネルは、第１周辺ダミー電極の第２方向における長さを第２周辺ダミー電極の第２方向における長さより小さくにするように設計し、かつ第１周辺ダミー電極列が第１基板のエッジまたは第１検出電極の連結部に近接することによって、タッチパネルの感度を向上できる。また、本考案が提供するタッチパネルでは、周辺タッチ領域に位置する各第２周辺ダミー電極列に含まれる第２周辺ダミー電極数を中央タッチ領域に位置する各第２周辺ダミー電極列に含まれる第２周辺ダミー電極数より少なくするように設計することによって、タッチパネルの感度をさらに向上できる。
【図面の簡単な説明】
【００２７】
【図１Ａ】本考案の実施例１に係るタッチパネルの解体を示す図である。
【図１Ｂ】本考案の実施例１に係るタッチパネルの断面を示す図である。
【図２】本考案の実施例１に係るタッチパネルの第１検出電極を示す図である。
【図３Ａ】本考案の実施例１に係るタッチパネルの第１検出電極の一部及びダミー電極領域を示す図である。
【図３Ｂ】図３Ａの一部領域の拡大図である。
【図４Ａ】本考案の実施例１に係るタッチパネルの第１表面上の第１検出電極の一部、ダミー電極領域、及び第２表面上のサブピクセルを示す図である。
【図４Ｂ】図４Ａの一部領域の拡大図である。
【図５】本考案の実施例２に係るタッチパネルの第１検出電極の一部及びダミー電極領域を示す図である。
【図６】本考案の実施例３に係るタッチパネルの第１検出電極の一部及びダミー電極領域を示す図である。
【図７Ａ】本考案の実施例４に係るタッチパネルの第１検出電極の一部及びダミー電極領域を示す図である。
【図７Ｂ】図７Ａの一部領域の拡大図である。
【考案を実施するための形態】
【００２８】
以下は、特定の具体的な実施例によって本考案の実施形態を説明するが、当業者は本明細書に開示された内容に基づいて本考案の他のメリットおよび効果について容易に了解できる。本考案は他の異なる具体的な実施例によって実施または応用されてもよく、本明細書における各細部は異なる観点及び応用に応じて、本考案の精神から逸脱しない限り、様々な修飾及び変更を行ってもよい。
【００２９】
実施例１
図１Ａ及び図１Ｂに示すように、本実施例のタッチパネルは、少なくとも１つのエッジ１１ａを有する第１基板１１と、第１基板１１上に設置され、第１方向に沿って配列する複数の第１検出電極１１１とを含む。また、本実施例のタッチパネルはさらに、第１基板１１に対向して設置される第２基板１２と、第２基板１２上に設置されて、かつ第２方向に沿って配列する複数の第２検出電極１２１とを含む。本実施例では、第１検出電極１１１及び第２検出電極１２１はタッチ電極とする。また、第１方向は第２方向と交差し、特に、第１方向と第２方向とは実質的に直交する。ここで、「実質的に直交する」とは、第１方向と第２方向との間の角は８５°〜９０°である。
【００３０】
図１Ｂに示すように、本実施例のタッチパネルはディスプレイパネルを整合したタッチディスプレイパネルである。ここで、第１基板１１と第２基板１２との間に液晶層１３が設置される。また、第１基板１１は第１表面１１ｂ及びこの第１表面１１ｂに対向する第２表面１１ｃを有する。第１表面１１ｂ上に第１検出電極１１１が設置されるが、第１基板１１の第２表面１１ｃ上に複数のサブピクセルを含むカラーフィルタ層１４が設置される。本実施例では、例として液晶タッチディスプレイパネルを用いるが、本考案はこれに限定されない。本考案の他の実施例では、本実施例のタッチパネルは他の本技術領域において既知のディスプレイパネルと整合してもよく、例えば、有機発光ダイオードディスプレイパネルを整合したタッチディスプレイパネルでよい。
【００３１】
そして、本実施例に係るタッチパネルの第１基板上の第１検出電極及びその隣接素子の構成について詳細に説明する。図２に示すように、本実施例のタッチパネルでは、第１基板１１上に第１方向Ｘに沿って配列される複数の第１検出電極１１１が設置される。また、第１基板１１の第１表面１１ｂは中央タッチ領域Ｃ及び中央タッチ領域Ｃ両側に位置する２つの周辺タッチ領域Ｐを含み、さらに、周辺タッチ領域Ｐ外に位置する周辺領域Ｂを含み、かつ第１検出電極１１１が中央タッチ領域Ｃ上に設置される。ここで、第１基板１１の中央タッチ領域Ｃ及び周辺タッチ領域Ｐにおいて、第１検出電極１１１が設置される外の領域はダミー電極（図示せず）が設置されるダミー電極領域１５である。かつダミー電極（図示せず）の設置によって、利用者が本実施例のタッチパネルを用いる時、第１検出電極１１１のパターンを簡単に観察できなくなり、第１検出電極１１１パターンの可視性問題を改善した。ここで、第１検出電極１１１及びダミー電極はいずれも本技術領域において既知の、タッチ電極用の電極材料、例えば、ＩＴＯ、ＩＺＯ等の透明導電酸化物により形成される。かつ、まず透明導電性酸化物層を沈積した後、そしてエッチング等のパターン化製造工程により第１検出電極１１１及びダミー電極（図示せず）を定義する。
【００３２】
また、図１Ａ及び図２に示すように、本実施例のタッチパネルでは、隣接する２つの第１検出電極１１１は２つの連結部１１２により電気的に接続され、かつ、好ましくは、２つの連結部１１２は第１基板１１のエッジ１１ａと実質的に平行する。また、本実施例のタッチパネルは２つの連結部１１２のうちの１つに連結される延伸部１１３をさらに含み、かつ延伸部１１３は端子部１１４に電気的に接続され、端子部１１４と第１検出電極１１１とを電気的に接続させる。ここで、２つの連結部１１２、延伸部１１３、及び第１検出電極１１１は一体成形される。ここで、端子部１１４は第１基板１１において第１方向Ｘに沿って延伸するエッジ１１ａに近接する。図２に示すように、延伸部１１３は斜め延伸して端子部１１４に電気的に接続される。ここで、いわゆる「斜め」とは、第１方向Ｘ及び第２方向Ｙと異なる方向であり、即ち、第１方向Ｘ及び第２方向Ｙと交差する別の方向である。
【００３３】
そして、本実施例に係るタッチパネルの第１基板上の第１検出電極の一部及びダミー電極領域上のダミー電極構成について詳細に説明する。図３Ａは図２における領域Ａの拡大図である。図３Ａに示すように、本実施例のタッチパネルのダミー電極領域には、周辺タッチ領域Ｐに設置され、第２方向Ｙに沿って配列される複数の周辺ダミー電極列が含まれる。周辺ダミー電極列は、この第１検出電極１１１と並列に設置され、それぞれ第１方向Ｘに沿って配列される複数の第１周辺ダミー電極１５１ａ、１５１ａ’を含む少なくとも１つの第１周辺ダミー電極列１５１、１５１’と、第１検出電極１１１と並列に設置され、かつ第１方向Ｘに沿って配列される複数の第２周辺ダミー電極１５２ａを含む複数の第２周辺ダミー電極列１５２と、を含む。第１周辺ダミー電極列１５１、１５１’は第１基板１１のエッジ１１ａ（図１Ａを参照）と第２周辺ダミー電極列１５２との間に位置する。本実施例では、第１周辺ダミー電極列１５１、１５１’及び第２周辺ダミー電極列１５２は第２方向Ｙに沿って配列される。さらに、図３Ｂに示すように、第１周辺ダミー電極列１５１、１５１’の第１周辺ダミー電極１５１ａ、１５１ａ’、第２周辺ダミー電極列１５２の第２周辺ダミー電極１５２ａ及び第１検出電極１１１はエッチングにより定義されるスリット１５ａで互いに電気的に絶縁する。また、第１方向Ｘは第２方向Ｙと交差し、特に、第１方向Ｘは第２方向Ｙと実質的に直交する。さらに、第１周辺ダミー電極列１５１、１５１’の第１周辺ダミー電極１５１ａ、１５１ａ’の第２方向Ｙにおける長さＤ１、Ｄ１’は第２周辺ダミー電極列１５２の第２周辺ダミー電極１５２ａの第２方向Ｙにおける長さＤ２より小さい。同時に、周辺タッチ領域Ｐにおいて、第１基板１１のエッジ１１ａ（図１Ａを参照）から、第１周辺ダミー電極１５１ａ’、１５１ａの第２方向Ｙにおける長さＤ１’、Ｄ１は次第に増加し、特に、連結部１１２に隣接する第１周辺ダミー電極列１５１’には、その第１周辺ダミー電極１５１ａ’が第２方向Ｙにおいて最小長さＤ１’を有する。
【００３４】
本実施例では、第１周辺ダミー電極１５１ａ、１５１ａ’の第２方向Ｙにおける長さＤ１、Ｄ１’を第２周辺ダミー電極１５２ａの第２方向Ｙにおける長さＤ２より小さくに設計することによって、タッチパネルの感度を向上できる。また、タッチパネル全体にダミー電極を配置することによって、利用者が第１検出電極１１１のパターンを容易に観察することを回避できるが、延伸部１１３が斜め延伸して端子部（図示せず）に電気的に接続されるために、本実施例のタッチパネルが連結部１１２に隣接する第１周辺ダミー電極列１５１’の第１周辺ダミー電極１５１ａ’が最小長さＤ１’を有するように設計する。
【００３５】
図３Ａに示すように、本実施例のタッチパネルでは、中央タッチ領域Ｃにさらに、第１方向Ｘに沿って配列される複数の第１中央ダミー電極１６１ａを含む第１中央ダミー電極列と、第１方向Ｘに沿って配列される複数の第２中央ダミー電極１６２ａを含む第２中央ダミー電極列とを含む複数の中央ダミー電極列が設置される。ここで、第１中央ダミー電極１６１ａを含む第１中央ダミー電極列及び第２中央ダミー電極１６２ａを含む第２中央ダミー電極列位は隣接する２つの第１検出電極１１１の間に位置し、かつ第２方向Ｙに沿って配列され、さらに、第１中央ダミー電極１６１ａを含む第１中央ダミー電極列は連結部１１２と第２中央ダミー電極１６２ａを含む第２中央ダミー電極列との間に位置する。また、第１中央ダミー電極１６１ａを含む第１中央ダミー電極列の第２方向Ｙにおける長さＤ１は、第２中央ダミー電極１６２ａを含む第２中央ダミー電極列の第２方向Ｙにおける長さＤ２より小さい。
【００３６】
また、図３Ａに示すように、本実施例のタッチパネルでは、周辺タッチ領域Ｐの幅は中央タッチ領域Ｃの幅より小さい。このため、周辺タッチ領域Ｐに位置する各第２周辺ダミー電極列１５２に含まれる第２周辺ダミー電極１５２ａの数は、中央タッチ領域Ｃに位置する各第２中央ダミー電極列に含まれる第２中央ダミー電極１６２ａの数より小さい。同時に、周辺タッチ領域Ｐに位置する各第１周辺ダミー電極列１５１、１５１’に含まれる第１周辺ダミー電極１５１ａ、１５１ａ’の数は、中央タッチ領域Ｃに位置する第１中央ダミー電極列に含まれる第１中央ダミー電極１６１ａの数より小さい。タッチパネルのタッチ感度を向上させるために、本実施例におけるタッチパネルの主なタッチ領域に第１検出電極１１１の中央タッチ領域Ｃが設置されるので、中央タッチ領域Ｃ外周の周辺タッチ領域Ｐの領域大きさをできるだけ低減させる。このため、本実施例におけるタッチパネルでは、周辺タッチ領域Ｐに位置する周辺ダミー電極列に含まれる周辺ダミー電極数を中央タッチ領域Ｃに位置する中央ダミー電極列に含まれる中央ダミー電極数より小さくにするように設計することによって、周辺タッチ領域Ｐの幅を中央タッチ領域Ｃの幅より小さくにすることができ、これによって、タッチパネルのタッチ感度を向上させる目的を達成することができる。
【００３７】
また、図３Ａに示すように、本実施例のタッチパネルでは、各第１検出電極１１１はさらに、第２方向Ｙに沿って延伸する複数のスリット１１１ａを含む。ここで、２つの隣接するスリット１１１ａの間の距離Ｄ３は、第１周辺ダミー電極１５１ａ、１５１ａ’または第２周辺ダミー電極１５２ａの幅Ｗに実質的に等しい。ここで、「実質的に同じ」とは、２つの隣接するスリットの間の距離と第１周辺ダミー電極または第２周辺ダミー電極の幅との変化量は０〜１０％である。
【００３８】
本実施例のタッチパネルでは、第１基板１１及び第２基板１２は本技術領域の既知の基板、例えば、ガラス基板及びプラスチック基板を用いてもよい。また、図１Ｂに示すように、本実施例のタッチパネルは液晶ディスプレイパネルを整合したタッチディスプレイパネルであるため、第１基板１１に第１検出電極１１１が設置される一側の反対側にはさらに、複数のサブピクセル１４１を含むカラーフィルタ層１４が設置される。図４Ａ及び４Ｂは、タッチパネルの第１表面１１ｂ上のタッチ領域と第２表面１１ｃ上のカラーフィルタ層１４とが重畳した後の状態を示す図である。ここで、第１周辺ダミー電極列１５１の第２方向Ｙにおける長さＤ１または第２周辺ダミー電極列１５２の第２方向Ｙにおける長さＤ２は、偶数倍数量のサブピクセル１４１の第２方向Ｙにおける長さＤ４に実質的に等しい。例えば、本実施例では、第１周辺ダミー電極列１５１の第２方向Ｙにおける長さＤ１は、４倍数量のサブピクセル１４１の第２方向Ｙにおける長さＤ４に実質的に等しい。第２周辺ダミー電極列１５２の第２方向Ｙにおける長さＤ２は、８倍数量のサブピクセル１４１の第２方向Ｙにおける長さＤ４に実質的に等しい。また、図４Ａに示すように、本実施例のタッチパネルでは、第１周辺ダミー電極列１５１’はサブピクセル１４１と重畳しない。
【００３９】
実施例２
以下の異なる点を除き、本実施例のタッチパネルは実施例１と同じである。まず、図５に示すように、本実施例の第１検出電極１１１、第２周辺ダミー電極１５２ａ、第１中央ダミー電極１６１ａ、第２中央ダミー電極１６２ａはそれぞれジグザグ形（ｚｉｇｚａｇ）の縁を有する。本実施例の第２周辺ダミー電極１５２ａ、第１中央ダミー電極１６１ａ、第２中央ダミー電極１６２ａはそれぞれジグザグ形の縁を有するが、その長さＤ１とは、第１中央ダミー電極１６１ａの上エッジと下エッジとの間の第２方向Ｙにおける最短距離であるが、長さＤ２とは、第２周辺ダミー電極１５２ａと第２中央ダミー電極１６２ａの上エッジ及び下エッジとの間の第２方向Ｙにおける最短距離である。
【００４０】
そして、本実施例のタッチパネルでは、周辺タッチ領域Ｐには実施例１の第１周辺ダミー電極列１５１が設置されない。
【００４１】
ここで、本実施例のタッチパネルは液晶ディスプレイパネルを整合したタッチディスプレイパネルであり、第２周辺ダミー電極列１５２の部分領域は複数のサブピクセル（図示せず）の画素領域Ｐｘ（点線により囲まれる箇所）と重畳しない。
【００４２】
実施例３
以下の異なる点を除き、本実施例のタッチパネルは実施例１と同じである。まず、図６に示すように、本実施例のタッチパネルでは、延伸部１１３は斜め延伸しないが、第２方向Ｙに沿って延伸する。このため、ダミー電極を多くにする目的を達成するために、本実施例のタッチパネルはさらに第３周辺ダミー電極列１５３を含み、第３周辺ダミー電極列１５３の第２方向Ｙにおける長さＤ５は特に限定されないが、その端が延伸部１１３の延伸方向により決められ、好ましくは、第２周辺ダミー電極列１５２の第２方向Ｙにおける長さＤ２より小さい。
【００４３】
実施例４
以下の異なる点を除き、本実施例のタッチパネルは実施例１と同じである。まず、図７Ａ及び７Ｂに示すように、２つの隣接配列される第１周辺ダミー電極１５１ａまたは第２周辺ダミー電極１５２ａはそれぞれ第１方向Ｘにおいて第１幅ｗ１及び第２幅ｗ２を有し、かつ第１幅ｗ１は第２幅ｗ２より大きい。つまり、第１周辺ダミー電極列１５１における第１周辺ダミー電極１５１ａ間または第２周辺ダミー電極列１５２における第２周辺ダミー電極１５２ａ間には、それぞれ第２方向Ｙに沿って延伸する複数のスリット１５ａを有し、これらのスリット１５ａはそれぞれ第１距離（第１幅ｗ１で示す距離とほぼ同じ）及び第２距離（第２幅ｗ２で示す距離とほぼ同じ）を交替して第１方向Ｘに沿って配列される。好ましくは、各第１周辺ダミー電極列１５１において第１幅ｗ１を有する第１周辺ダミー電極１５１ａと第２幅ｗ２を有する第１周辺ダミー電極１５１ａとは交差配列され、かつ各第２周辺ダミー電極列１５２において第１幅ｗ１を有する第２周辺ダミー電極１５２ａと第２幅ｗ２を有する第２周辺ダミー電極１５２ａとは交差配列される。
【００４４】
そして、連結部１１２と第２中央ダミー電極１６２ａを含む第２中央ダミー電極列との間には第１中央ダミー電極を含む第１中央ダミー電極列が設置されない。
【００４５】
本考案の上記実施例により製造されるタッチパネルは、本技術領域の既知の、タッチ感知を要求する任意の電子装置に応用されてもよく、特に、タッチ表示装置、例えば、ディスプレイ、携帯電話、ノートパソコン、ビデオカメラ、カメラ、音楽プレーヤー、ナビゲーション装置、テレビ等に応用される。
【００４６】
以上の実施例は例として提示したものであり、考案の範囲を限定することは意図していない。本考案が主張する権利範囲は特許請求の範囲を基準とするものである。
【符号の説明】
【００４７】
１１：第１基板
１１ａ：エッジ
１１ｂ：第１表面
１１ｃ：第２表面
１１１：第１検出電極
１１１ａ、１５ａ：スリット
１１２：連結部
１１３：延伸部
１２：第２基板
１２１：第２検出電極
１１４：端子部
１３：液晶層
１４：カラーフィルタ層
１４１：サブピクセル
１５：ダミー電極領域
１５１、１５１’：第１周辺ダミー電極列
１５１ａ、１５１ａ’：第１周辺ダミー電極
１５２：第２周辺ダミー電極列
１５２ａ：第２周辺ダミー電極
１５３：第３周辺ダミー電極列
１６１ａ：第１中央ダミー電極
１６２ａ：第２中央ダミー電極
Ａ：領域
Ｂ：周辺領域
Ｃ：中央タッチ領域
Ｄ１、Ｄ１’、Ｄ２、Ｄ４、Ｄ５：長さ
Ｄ３：間の距離
Ｐ：周辺タッチ領域
Ｐｘ：画素領域
Ｘ：第１方向
Ｙ：第２方向
Ｗ：幅
ｗ１：第１幅
ｗ２：第２幅
【図１Ａ】
0003198958.tif 000003
【図１Ｂ】
0003198958.tif 000004
【図２】
0003198958.tif 000005
【図３Ｂ】
0003198958.tif 000006
【図５】
0003198958.tif 000007
【図３Ａ】
0003198958.tif 000008
【図４Ａ】
0003198958.tif 000009
【図４Ｂ】
0003198958.tif 000010
【図６】
0003198958.tif 000011
【図７Ａ】
0003198958.tif 000012
【図７Ｂ】
0003198958.tif 000013